(57)【要約】【課題】外れ難く安全性を確保することができるスタンションポール及びその取付構造を提供する。【解決手段】Ｈ形鋼からなり所定間隔でボルト孔１１１が設けられた梁１００のフランジ１１０に取り付けられるスタンションポール１であって、第一板状部１０と、第一板状部１０に対して直角に連接された第二板状部２０と、を備える。第一板状部１０には、梁１００のフランジ１１０にボルト２００を用いて取り付けるための取付孔１１が設けられ、第二板状部２０には、親綱３００のフック４００を引っ掛ける為のフック孔２１が設けられる。【選択図】図６
2015172315.tif 000002
【特許請求の範囲】
【請求項１】
Ｈ形鋼からなり所定間隔でボルト孔が設けられた梁のフランジに取り付けられる、スタンションポールであって、
第一板状部と、前記第一板状部に対して直角に連接された第二板状部と、を備え、
前記第一板状部には、前記梁のフランジにボルトを用いて取り付けるための取付孔が設けられ、
前記第二板状部には、親綱のフックを引っ掛ける為のフック孔が設けられている、スタンションポール。
【請求項２】
前記第一板状部は、平面視略長方形状を呈し、
前記第二板状部は、前記第一板状部の長手方向一端部に連接され、
前記取付孔は、前記第一板状部の長手方向他端部近傍に設けられる、請求項１に記載のスタンションポール。
【請求項３】
請求項１又は２に記載したスタンションポールが外周梁にボルトを用いて取り付けられてなるスタンションポールの取付構造であって、
前記スタンションポールの前記第一板状部の前記取付孔と、前記外周梁の上フランジの建物内部側に設けられたボルト孔と、が重ねられた状態で前記取付孔及び前記ボルト孔に前記ボルトが挿通され、
前記スタンションポールの前記第二板状部は、建物外部寄りに配置される、取付構造。
【請求項４】
前記スタンションポールの前記第二板状部は、前記外周梁に載置される床パネルから離隔するように配置されている、請求項３に記載の取付構造。
【請求項５】
前記外周梁は、デッキプレートからなる屋根を載置固定するためのものであり、
前記スタンションポールの前記第二板状部の前記外周梁からの突出寸法は、前記屋根の前記外周梁からの突出寸法よりも大きく設定されてなる、請求項３又は４に記載の取付構造。
【請求項６】
請求項１又は２に記載したスタンションポールが吹き抜け部近傍の梁にボルトを用いて取り付けられてなるスタンションポールの取付構造であって、
前記スタンションポールの前記第一板状部の前記取付孔と、前記梁の下フランジに設けられたボルト孔と、が重ねられた状態で前記取付孔及び前記ボルト孔に前記ボルトが挿通され、
前記スタンションポールの前記第二板状部は、前記吹き抜け部寄りに配置される、取付構造。
【請求項７】
前記スタンションポールの前記第一板状部は、前記梁の前記下フランジの上面に載置された状態で取り付けられている、請求項６に記載の取付構造。
【発明の詳細な説明】
【技術分野】
【０００１】
本発明は、スタンションポール及びその取付構造に関する。
【背景技術】
【０００２】
現在、建設工事現場等の高所作業場所において、Ｈ型鋼等からなる梁のフランジに取り付けられるスタンションポール（親綱支柱）が使用されている。例えば、近年においては、コ字形側板や締結部材からなるクランプ金具を用いて梁のフランジを挟持するように構成されたいわゆる「挟持固着方式」の親綱支柱が提案されている（特許文献１参照）。
【先行技術文献】
【特許文献】
【０００３】
【特許文献１】特開２００５−２７７１号公報
【発明の概要】
【発明が解決しようとする課題】
【０００４】
しかし、前記した特許文献１に記載されたような挟持固着方式の親綱支柱は、水平方向の外力が作用すると、比較的容易に梁のフランジから外れてしまう虞があった。
【０００５】
本発明は、かかる事情に鑑みてなされたものであり、外れ難く安全性を確保することができるスタンションポール及びその取付構造を提供することを目的とする。
【課題を解決するための手段】
【０００６】
前記目的を達成するため、本発明に係るスタンションポールは、Ｈ形鋼からなり所定間隔でボルト孔が設けられた梁のフランジに取り付けられるものであって、第一板状部と、第一板状部に対して直角に連接された第二板状部と、を備え、第一板状部には、梁のフランジにボルトを用いて取り付けるための取付孔が設けられ、第二板状部には、親綱のフックを引っ掛ける為のフック孔が設けられているものである。
【０００７】
かかる構成を採用すると、スタンションポールの第一板状部に設けられた取付孔と、梁のフランジに設けられたボルト孔と、を介して、ボルトを用いてスタンションポールを梁のフランジに確実に取り付けることができる。従って、作業の安全性を確保することができる。
【０００８】
本発明に係るスタンションポールにおいて、平面視略長方形状を呈する第一板状部を採用し、第一板状部の長手方向一端部に第二板状部を連接し、第一板状部の長手方向他端部近傍に取付孔を設けることができる。
【０００９】
かかる構成を採用すると、第二板状部を、第一板状部に設けられた取付孔から離隔させて配置することができる。従って、例えば、外周梁の上フランジの建物内部側に設けられたボルト孔と、スタンションポールの第一板状部の取付孔と、にボルトを挿通してスタンションポールを梁に取り付けたときに、スタンションポールの第二板状部を建物外部寄りに配置することができる。このようにすることにより、作業時には建物外部側からスタンションポールの第二板状部のフック孔に親綱のフックを引っ掛けることができ、作業終了時には建物内部側からボルトを外してスタンションポールを梁から容易に分離させることができる。
【００１０】
また、本発明に係る第一の取付構造は、前記スタンションポールが外周梁にボルトを用いて取り付けられてなるスタンションポールの取付構造であって、スタンションポールの第一板状部の取付孔と、外周梁の上フランジの建物内部側に設けられたボルト孔と、が重ねられた状態で取付孔及びボルト孔にボルトが挿通され、スタンションポールの第二板状部は、建物外部寄りに配置されるものである。
【００１１】
かかる構成を採用すると、作業時には、建物外部側からスタンションポールの第二板状部のフック孔に親綱のフックを引っ掛けることができる。一方、作業終了時には、建物内部側からボルトを外してスタンションポールを梁から容易に分離させることができるので、作業の安全性を確保することができる。
【００１２】
本発明に係る第一の取付構造において、スタンションポールの第二板状部を、外周梁に載置される床パネルから離隔するように配置することができる。
【００１３】
かかる構成を採用すると、床パネルの敷設工事の開始から完了まで使用することができるので、作業の安全性を確保することができる。
【００１４】
本発明に係る第一の取付構造において、デッキプレートからなる屋根を載置固定するための外周梁を採用し、スタンションポールの第二板状部の外周梁からの突出寸法を、屋根の外周梁からの突出寸法よりも大きく設定することができる。
【００１５】
かかる構成を採用すると、スタンションポールを屋根工事の開始から完了まで使用することができ、作業の安全性を確保することができる。
【００１６】
また、本発明に係る第二の取付構造は、前記スタンションポールが吹き抜け部近傍の梁にボルトを用いて取り付けられてなるスタンションポールの取付構造であって、スタンションポールの第一板状部の取付孔と、梁の下フランジに設けられたボルト孔と、が重ねられた状態で取付孔及びボルト孔にボルトが挿通され、スタンションポールの第二板状部は、吹き抜け部寄りに配置されるものである。
【００１７】
かかる構成を採用すると、スタンションポールの第二板状部が間仕切り壁等と干渉し難くなる。また、躯体施工完了後も引き続きスタンションポールを使用することができるので、作業の長期間にわたり安全性を確保することができる。
【００１８】
本発明に係る第二の取付構造において、スタンションポールの第一板状部を、梁の下フランジの上面に載置した状態で取り付けることができる。
【００１９】
かかる構成を採用すると、スタンションポールの第一板状部を梁の下フランジに掛止することができるので、より安全に着脱することが可能となる。
【発明の効果】
【００２０】
本発明によれば、外れ難く安全性を確保することができるスタンションポール及びその取付構造を提供することが可能となる。
【図面の簡単な説明】
【００２１】
【図１】本発明の実施形態に係るスタンションポールの正面図である。
【図２】図１に示すスタンションポールの側面図（図１のII方向から見た図）である。
【図３】図１に示すスタンションポールの平面図（図１のIII方向から見た図）である。
【図４】本発明の実施形態に係るスタンションポールを用いて構成した第一の取付構造を説明するための説明図（屋根の上から見た図）である。
【図５】本発明の実施形態に係るスタンションポールを用いて構成した第一の取付構造を説明するための説明図（取付状態を示す拡大図）である。
【図６】本発明の実施形態に係るスタンションポールを用いて構成した第一の取付構造を説明するための説明図（図５の斜視図）である。
【図７】本発明の実施形態に係るスタンションポールを用いて構成した第二の取付構造を説明するための説明図（室内の概略図）である。
【図８】本発明の実施形態に係るスタンションポールを用いて構成した第二の取付構造を説明するための説明図（取付状態を示す拡大図）である。
【図９】本発明の実施形態に係るスタンションポールを用いて構成した第二の取付構造の変形例を説明するための説明図（取付状態を示す拡大図）である。
【発明を実施するための形態】
【００２２】
以下、図面を参照して、本発明の実施形態について説明する。なお、以下の実施形態はあくまでも好適な適用例であって、本発明の適用範囲がこれに限定されるものではない。
【００２３】
＜スタンションポール＞
まず、図１〜図３を用いて、本実施形態に係るスタンションポール１の構成について説明する。
【００２４】
スタンションポール１は、建物の屋根（図４及び図５参照）や吹き抜け部７００（図７参照）を施工する際に用いられる親綱（屋上作業用に命綱）３００を固定するための部材であって、Ｈ形鋼からなる梁１００・１００Ａ（図４〜図７参照）のフランジ１１０・１１０Ａに取り付けられるものである。スタンションポール１は、金属等で構成することができる。
【００２５】
スタンションポール１は、図１〜図３に示すように、第一板状部１０と、第一板状部１０に対して直角に連接された第二板状部２０と、を備えている。第一板状部１０及び第二板状部２０は、図２及び図３に示すように、いずれも平面視略長方形状を呈する板状の部分である。本実施形態においては、第二板状部２０の長手方向の寸法が第一板状部１０の長手方向の寸法よりも長くなっている。
【００２６】
第二板状部２０は、図１及び図３に示すように、第一板状部１０の長手方向一端部に連接されている。第一板状部１０の長手方向他端部近傍には、図３に示すように、梁１００のフランジ１１０にボルト２００（図５及び図８参照）を用いて取り付けるための取付孔１１が複数設けられている。第二板状部２０には、図２に示すように、親綱３００のフック４００（図６及び図７参照）を引っ掛けるためのフック孔２１が設けられている。なお、本実施形態においては、スタンションポール１の形状を維持するための補強板３０が第一板状部１０と第二板状部２０との間に設けられている。
【００２７】
＜第一の取付構造＞
次いで、図４〜図６を用いて、本発明の実施形態に係るスタンションポール１を用いて構成した第一の取付構造について説明する。
【００２８】
本取付構造は、図４〜図６に示すように、スタンションポール１が建物の外周梁１００にボルト２００を用いて取り付けられてなるものである。スタンションポール１が取り付けられる外周梁１００は、図４及び図５に示すように、デッキプレート５００からなる屋根を載置固定するためのものであり、建物の妻面側に配置されている。
【００２９】
本取付構造においては、スタンションポール１の第一板状部１０の取付孔１１と、外周梁１００の上側のフランジ１１０の建物内部側（外周梁１００のウエブ１２０よりも建物の内部側）に設けられたボルト孔１１１と、が重ねられた状態で取付孔１１及びボルト孔１１１にボルト２００が挿通されている。そしてこの状態で、（図示していない）ナットにボルト２００を螺入して締結することにより、スタンションポール１が外周梁１００に固定される。
【００３０】
本取付構造においては、図５に示すように、スタンションポール１の第二板状部２０が建物外部寄り（外周梁１００のウエブ１２０よりも建物の外部側）に配置されている。また、図５に示すように、スタンションポール１の第二板状部２０の外周梁１００からの建物外部への突出寸法は、屋根（デッキプレート５００）の外周梁１００からの建物外部への突出寸法よりも大きく設定されている。
【００３１】
なお、外周梁１００に（図示していない）床パネルを載置する場合においても、本実施形態に係るスタンションポール１を外周梁１００に取り付けて使用することができる。かかる場合には、スタンションポール１の第二板状部２０が外周梁１００に載置される床パネルから離隔するように配置することが好ましい。このようにすると、床パネルの敷設工事の開始から完了までスタンションポール１を使用することができるので、作業の安全性を確保することができる。
【００３２】
続いて、本実施形態に係るスタンションポール１を使用して第一の取付構造を施工する方法について説明する。
【００３３】
まず、建物の妻面になる屋上部の外周梁１００にスタンションポール１を取り付ける。この際、図５に示すように、外周梁１００の上側のフランジ１１０の建物内部側のボルト孔１１１と、スタンションポール１の第一板状部１０の取付孔１１と、を重ねた状態で取付孔１１及びボルト孔１１１にボルト２００を挿通し、ボルト２００をナットに螺入して締結することにより、スタンションポール１を外周梁１００に固定する。なお、スタンションポール１の取付時期は、建物の鉄骨組立前でも鉄骨組立後でもよい。
【００３４】
このように第一の取付構造を施工した後に、図５に示すように、建物の屋根（デッキプレート５００）及び壁板６００を鉄骨躯体に取り付ける。この際、図４及び図６に示すように、スタンションポール１に親綱３００を取り付けて作業中の安全対策とする。本実施形態に係るスタンションポール１は、妻面の外周梁１００上にあるため、壁板６００の取り付けの邪魔にならない。また、本実施形態に係るスタンションポール１の第二板状部２０は、妻面の仕上げ寸法より建物外部側に突出しており、デッキプレート５００の施工時にも邪魔にならないため、屋根作業中取り外す必要がない。
【００３５】
この後、躯体施工が完了したら、妻面の外周梁１００の建物内部側から、スタンションポール１を固定しているボルト２００を外し、スタンションポール１を外周梁１００から分離させる。分離させたスタンションポール１は、建物の外部側、建物の内部側、いずれからも回収することができる。
【００３６】
以上説明した実施形態に係るスタンションポール１を採用すると、第一板状部１０に設けられた取付孔１１と、外周梁１００のフランジ１００に設けられたボルト孔１１１と、を介して、ボルト２００を用いてスタンションポール１を外周梁１００のフランジ１１０に確実に取り付けることができる。従って、作業の安全性を確保することができる。
【００３７】
また、以上説明した実施形態に係るスタンションポール１を採用すると、第二板状部２０を、第一板状部１０に設けられた取付孔１１から離隔させて配置することができる。従って、外周梁１００の上側のフランジ１１０の建物内部側に設けられたボルト孔１１１と、スタンションポール１の第一板状部１０の取付孔１１と、にボルト２００を挿通してスタンションポール１を梁１００に取り付けたときに、スタンションポール１の第二板状部２０を建物外部寄りに配置することができる。このようにすることにより、作業時には建物外部側からスタンションポール１の第二板状部２０のフック孔２１に親綱３００のフック４００を引っ掛けることができ、作業終了時には建物内部側からボルト２００を外してスタンションポール１を外周梁１００から容易に分離させることができる。
【００３８】
また、以上説明した実施形態に係る第一の取付構造においては、スタンションポール１の第一板状部１０の取付孔１１と、外周梁１００の上側のフランジ１１０の建物内部側に設けられたボルト孔１１１と、が重ねられた状態で取付孔１１及びボルト孔１１１にボルト２００が挿通され、スタンションポール１の第二板状部２０は、建物外部寄りに配置されているので、作業時には、建物外部側からスタンションポール１の第二板状部２０のフック孔２１に親綱３００のフック４００を引っ掛けることができる。一方、作業終了時には、建物内部側からボルト２００を外してスタンションポール１を外周梁１００から容易に分離させることができるので、作業の安全性を確保することができる。
【００３９】
また、以上説明した実施形態に係る第一の取付構造においては、スタンションポール１の第二板状部２０の外周梁１００からの建物外部への突出寸法を、屋根（デッキプレート５００）の外周梁１００からの建物外部への突出寸法よりも大きく設定しているので、スタンションポール１を屋根工事の開始から完了まで使用することができ、作業の安全性を確保することができる。
【００４０】
＜第二の取付構造＞
次に、図７〜図９を用いて、本発明の実施形態に係るスタンションポール１を用いて構成した第二の取付構造について説明する。
【００４１】
本取付構造は、図７及び図８に示すように、スタンションポール１が建物の吹き抜け部７００近傍の梁１００Ａにボルト２００を用いて取り付けられてなるものである。本取付構造においては、図８に示すように、スタンションポール１の第一板状部１０の取付孔１１と、梁１００Ａの下側のフランジ１１０Ａに設けられたボルト孔１１１Ａと、が重ねられた状態で取付孔１１及びボルト孔１１１Ａにボルトが挿通されている。そしてこの状態で、（図示していない）ナットにボルト２００を螺入して締結することにより、スタンションポール１が梁１００Ａに固定される。
【００４２】
本取付構造においては、図７に示すように、スタンションポール１の第二板状部２０が、吹き抜け部７００寄りに配置されている。また、本取付構造においては、図８に示すように、スタンションポール１の第一板状部１０を、梁１００Ａの下側のフランジ１１０Ａの上面に載置した状態で取り付けている。
【００４３】
続いて、本実施形態に係るスタンションポール１を使用して第二の取付構造を施工する方法について説明する。
【００４４】
まず、建物の吹き抜け部７００近傍の梁１００Ａ（天井面作業部の梁でもよい）にスタンションポール１を取り付ける。この際、図８に示すように、スタンションポール１の第一板状部１０を梁１００Ａの下側のフランジ１１０Ａの上面に被せ、フランジ１１０Ａのボルト孔１１１Ａと、スタンションポール１の第一板状部１０の取付孔１１と、を重ねた状態で取付孔１１及びボルト孔１１１Ａにボルト２００を挿通し、ボルト２００をナットに螺入して締結することにより、スタンションポール１を梁１００Ａに固定する。
【００４５】
このように第二の取付構造を施工した後に、図７に示すようにスタンションポール１に親綱３００を取り付けて、吹き抜け部７００や天井部８００の作業中の安全対策とする。通常、吹き抜け部７００や天井部８００の作業は、梯子９００や簡易ステージ付脚立の上で上向きに作業するため足元が不安定であるが、スタンションポール１に取り付けられた親綱３００に安全帯３１０をかけて作業することで、梯子９００等から足を踏み外したときにも床１０００に激突したりする可能性が著しく低くなり、災害の防止になる。この際、スタンションポール１がＬ字状に形成されていることから、作業の手元になる梁１００Ａよりも下に親綱３００のフック４００の取付部位が位置することとなり、梁１００Ａの上部に親綱３００をつけるよりも作業の邪魔になり難いという利点がある。
【００４６】
この後、吹き抜け部７００や天井部８００の作業が終了したら、スタンションポール１を固定しているボルト２００を外し、スタンションポール１を梁１００Ａから分離させて回収する。なお、スタンションポール１をそのまま壁面内部や天井内に埋め殺した状態にして、次回の改修工事やリフォーム工事のときに使用することもできる。
【００４７】
以上説明した実施形態に係る第二の取付構造においては、スタンションポール１の第一板状部１０の取付孔１１と、梁１００Ａの下側のフランジ１１０Ａに設けられたボルト孔１１１Ａと、が重ねられた状態で取付孔１１及びボルト孔１１１Ａにボルト２００が挿通され、スタンションポール１の第二板状部２０は、吹き抜け部７００寄りに配置されるので、スタンションポール１の第二板状部２０が間仕切り壁等と干渉し難くなる。また、躯体施工完了後も引き続きスタンションポール１を使用することができるので、作業の長期間にわたり安全性を確保することができる。
【００４８】
また、以上説明した実施形態に係る第二の取付構造においては、スタンションポール１の第一板状部１０を、梁１００Ａの下側のフランジ１１０Ａの上面に載置した状態で取り付けている（スタンションポール１の第一板状部１０を梁１００Ａの下側のフランジ１１０Ａに掛止している）ので、より安全に着脱することが可能となる。
【００４９】
なお、図９に示すように、スタンションポール１の第一板状部１０を梁１００Ａの下側のフランジ１１０Ａの下面に接触させ、フランジ１１０Ａのボルト孔１１１Ａとスタンションポール１の第一板状部１０の取付孔１１とを重ねて取付孔１１及びボルト孔１１１Ａにボルト２００を挿通し、ボルト２００をナットに螺入して締結することにより、スタンションポール１を梁１００Ａに固定することもできる。
【００５０】
本発明は、以上の実施形態に限定されるものではなく、かかる実施形態に当業者が適宜設計変更を加えたものも、本発明の特徴を備えている限り、本発明の範囲に包含される。すなわち、前記実施形態が備える各要素及びその配置、材料、条件、形状、サイズ等は、例示したものに限定されるわけではなく適宜変更することができる。また、前記実施形態が備える各要素は、技術的に可能な限りにおいて組み合わせることができ、これらを組み合わせたものも本発明の特徴を含む限り本発明の範囲に包含される。
【符号の説明】
【００５１】
１…スタンションポール
１０…第一板状部
１１…取付孔
２０…第二板状部
２１…フック孔
１００・１００Ａ…梁
１１０・１１０Ａ…フランジ
１１１・１１１Ａ…ボルト孔
２００…ボルト
３００…親綱
４００…フック
５００…デッキプレート
７００…吹き抜け部
【図１】
2015172315.tif 000003
【図２】
2015172315.tif 000004
【図３】
2015172315.tif 000005
【図４】
2015172315.tif 000006
【図５】
2015172315.tif 000007
【図６】
2015172315.tif 000008
【図７】
2015172315.tif 000009
【図８】
2015172315.tif 000010
【図９】
2015172315.tif 000011